(57)【要約】【課題】メイン処理部と１以上のサブ処理部との結合度の弱さを維持しつつ、指示位置に基づく操作をサブ処理部側で実行可能な画像投影装置及び画像投影方法を提供する。【解決手段】メインボード１１０は、項目選択画像を取得する画像取得部１１１と、項目選択画像を構成する項目毎の位置情報を取得する項目位置情報取得部１１３と、項目選択画像を投影媒体に投影する投影部１１５と、投影された項目選択画像上での指示位置を特定可能な指示位置特定情報を取得する指示位置特定情報取得部１１７と、位置情報に基づいて、指示位置特定情報が示す指示位置に存在する項目を特定し、特定した項目を選択するための第１操作情報を算出する操作情報算出部１２１と、第１操作情報を送信する操作情報送信部１２３とを備え、ネットワークボード１５０は、第１操作情報を取得する操作情報取得部１５５と、第１操作情報に基づく操作を実行する操作実行部１５７とを備える。【選択図】図２
2015056009.tif 000002
【特許請求の範囲】
【請求項１】
メイン処理部とサブ処理部とを備える画像投影装置であって、
前記メイン処理部は、
前記サブ処理部から項目選択画像を取得する画像取得部と、
前記サブ処理部から前記項目選択画像を構成する項目毎の位置情報を取得する項目位置情報取得部と、
前記項目選択画像を投影媒体に投影する投影部と、
投影された前記項目選択画像上での指示位置を特定可能な指示位置特定情報を取得する指示位置特定情報取得部と、
前記位置情報に基づいて、取得された前記指示位置特定情報が示す指示位置に存在する項目を特定し、特定した前記項目を選択するために必要な第１操作情報を算出する操作情報算出部と、
前記第１操作情報を前記サブ処理部に送信する操作情報送信部と、を備え、
前記サブ処理部は、
前記メイン処理部から前記第１操作情報を取得する操作情報取得部と、
前記第１操作情報に基づく操作を実行する操作実行部と、を備える画像投影装置。
【請求項２】
前記操作情報算出部は、前記位置情報に基づいて、取得された前記指示位置特定情報が示す指示位置に項目が存在するか否かを判定し、
前記投影部は、前記指示位置に項目が存在しない場合、前記指示位置に選択対象の項目が存在しない旨を示す情報を前記項目選択画像に合成して投影する請求項１に記載の画像投影装置。
【請求項３】
前記操作情報算出部は、前記指示位置に項目が存在する場合、当該指示位置に存在する項目を特定する請求項１又は２に記載の画像投影装置。
【請求項４】
前記メイン処理部は、
操作部からの第２操作情報を検知する検知部と、
取得される前記指示位置特定情報の有無に基づいて、前記第２操作情報に基づく操作を実行可能か否か判定する実行判定部と、を備え、
前記操作情報送信部は、前記第２操作情報に基づく操作を実行不可と判定された場合、前記第２操作情報を前記サブ処理部に送信しない請求項１〜３のいずれか１つに記載の画像投影装置。
【請求項５】
前記操作情報送信部は、前記第２操作情報に基づく操作を実行可能と判定された場合、前記第２操作情報を前記サブ処理部に送信する請求項４に記載の画像投影装置。
【請求項６】
前記実行判定部は、前記指示位置特定情報が取得された場合、前記第２操作情報に基づく操作を実行不可と判定し、前記指示位置特定情報が取得されなかった場合、前記第２操作情報に基づく操作を実行可能と判定する請求項４又は５に記載の画像投影装置。
【請求項７】
メイン処理部とサブ処理部とを備える画像投影装置で実行される画像投影方法であって、
前記メイン処理部は、
前記サブ処理部から項目選択画像を取得する画像取得ステップと、
前記サブ処理部から前記項目選択画像を構成する項目毎の位置情報を取得する項目位置情報取得ステップと、
前記項目選択画像を投影媒体に投影する投影ステップと、
投影された前記項目選択画像上での指示位置を特定可能な指示位置特定情報を取得する指示位置特定情報取得ステップと、
前記位置情報に基づいて、取得された前記指示位置特定情報が示す指示位置に存在する項目を特定し、特定した前記項目を選択するために必要な操作情報を算出する操作情報算出ステップと、
前記操作情報を前記サブ処理部に送信する操作情報送信ステップと、を含み、
前記サブ処理部は、
前記メイン処理部から前記操作情報を取得する操作情報取得ステップと、
前記操作情報に基づく操作を実行する操作実行ステップと、を含む画像投影方法。
【発明の詳細な説明】
【技術分野】
【０００１】
本発明は、画像投影装置及び画像投影方法に関する。
【背景技術】
【０００２】
近年、プロジェクタなどの画像投影装置において、ホワイトボードなどの投影媒体に投影した投影画像に対して電子ペンなどのポインティングデバイスで指示された指示位置を検出する技術が知られている（例えば、特許文献１参照）。
【０００３】
これにより画像投影装置は、例えば、投影画像としてＵＩ（User  Interface）画面（項目選択画像）を投影している場合には、検出された指示位置に存在するＵＩ項目を選択するなどＵＩ画面に対して行われたユーザ操作を実行できる。この結果、ユーザは、投影画像に対するタッチパネルのような操作感覚での操作が可能となる。
【０００４】
また、画像投影装置には、互いに異なるＣＰＵ（Central  Processing  Unit）を有するメイン処理部と１以上のサブ処理部とにより構成されているものもある。このような画像投影装置では、一方の処理部の機能変更が他方の処理部に影響を与えてしまうことをできるだけ少なくするため、互いの処理部の結合度を弱くするように設計されることが一般的である。
【０００５】
例えば、サブ機能のＵＩ操作の場合、サブ処理部は、サブ機能のＵＩ画面（項目選択画像）を作成してメイン処理部に投影を依頼し、メイン処理部は、サブ機能のＵＩ画面に対して行われたユーザからのキー操作情報をサブ処理部に通知することで、サブ処理部は、サブ機能のＵＩ操作を実行する。
【発明の概要】
【発明が解決しようとする課題】
【０００６】
上述したようなメイン処理部と１以上のサブ処理部とにより構成されている画像投影装置において、上述したような指示位置に基づく操作をサブ処理部側で実行する場合、メイン処理部と１以上のサブ処理部との結合度の弱さを維持するためには、メイン処理部は、検出した指示位置に基づいてサブ処理部が解釈可能な操作情報を算出し、サブ処理部に通知する必要がある。
【０００７】
しかしながら、上述したような従来技術では、サブ処理部が項目選択画像を作成しているため、メイン処理部では、サブ処理部が作成した項目選択画像を構成する各項目の位置情報を把握しておらず、検出した指示位置に基づいてサブ処理部が解釈可能な操作情報を算出することができない。
【０００８】
本発明は、上記事情に鑑みてなされたものであり、メイン処理部と１以上のサブ処理部との結合度の弱さを維持しつつ、指示位置に基づく操作をサブ処理部側で実行可能な画像投影装置及び画像投影方法を提供することを目的とする。
【課題を解決するための手段】
【０００９】
上述した課題を解決し、目的を達成するために、本発明の一態様にかかる画像投影装置は、メイン処理部とサブ処理部とを備える画像投影装置であって、前記メイン処理部は、前記サブ処理部から項目選択画像を取得する画像取得部と、前記サブ処理部から前記項目選択画像を構成する項目毎の位置情報を取得する項目位置情報取得部と、前記項目選択画像を投影媒体に投影する投影部と、投影された前記項目選択画像上での指示位置を特定可能な指示位置特定情報を取得する指示位置特定情報取得部と、前記位置情報に基づいて、取得された前記指示位置特定情報が示す指示位置に存在する項目を特定し、特定した前記項目を選択するために必要な第１操作情報を算出する操作情報算出部と、前記第１操作情報を前記サブ処理部に送信する操作情報送信部と、を備え、前記サブ処理部は、前記メイン処理部から前記第１操作情報を取得する操作情報取得部と、前記第１操作情報に基づく操作を実行する操作実行部と、を備える。
【発明の効果】
【００１０】
本発明によれば、メイン処理部と１以上のサブ処理部との結合度の弱さを維持しつつ、指示位置に基づく操作をサブ処理部側で実行可能という効果を奏する。
【図面の簡単な説明】
【００１１】
【図１】図１は、本実施形態の画像投影システムの概略構成の一例を示すブロック図である。
【図２】図２は、本実施形態の画像投影システムの機能構成の一例を示すブロック図である。
【図３】図３は、本実施形態のネットワーク設定に関するＵＩ画像の一例を示す図である。
【図４】図４は、図３に示すＵＩ画像の位置情報の一例を示す図である。
【図５】図５は、図３に示すＵＩ画像を構成する各項目と図４に示す位置情報の識別情報との関係を示す図である。
【図６】図６は、本実施形態の画像投影システムで実行されるネットワーク機能のＵＩ操作処理の一例を示すシーケンス図である。
【図７】図７は、本実施形態の画像投影システムで実行される操作情報算出処理の一例を示すフローチャート図である。
【図８】図８は、変形例の画像投影システムの機能構成の一例を示すブロック図である。
【図９】図９は、変形例の画像投影システムで実行される操作情報送信処理の一例を示すフローチャート図である。
【図１０】図１０は、上記実施形態及び変形例のプロジェクタのハードウェア構成の一例を示す図である。
【発明を実施するための形態】
【００１２】
以下、添付図面を参照しながら、本発明にかかる画像投影装置及び画像投影方法の実施形態を詳細に説明する。
【００１３】
図１は、本実施形態の画像投影システム１の概略構成の一例を示すブロック図である。図１に示すように、画像投影システム１は、プロジェクタ１００（画像投影装置の一例）と、電子ペン２００（位置指定装置の一例）とを、備える。
【００１４】
本実施形態では、プロジェクタ１００として、ＤＬＰ（Digital  Light  Processing）プロジェクタを例に取り説明するが、これに限定されるものではなく、どのようなプロジェクタであってもよい。
【００１５】
プロジェクタ１００と電子ペン２００とは、プロジェクタ１００が投影した投影画像５上での電子ペン２００による指示位置を特定可能な指示位置特定情報を通信するため、無線２で接続されている。無線２としては、例えば、Ｂｌｕｅｔｏｏｔｈ（登録商標）のような２．４Ｇｈｚ帯無線などが挙げられる。但し、接続形態はこれに限定されず、有線接続であってもよい。有線接続としては、例えば、ＵＳＢケーブルなどが挙げられる。
【００１６】
図２は、本実施形態の画像投影システム１の機能構成の一例を示すブロック図である。
【００１７】
まず、プロジェクタ１００について説明する。図２に示すように、プロジェクタ１００は、メインボード１１０（メイン処理部の一例）と、ネットワークボード１５０（サブ処理部の一例）とを、備える。本実施形態では、サブ処理部としてネットワークボード１５０を例に取り説明するが、サブ処理部はこれに限定されるものではなく、また、複数存在していてもよい。
【００１８】
メインボード１１０は、画像投影などプロジェクタ１００の主機能に関する処理を行う処理ボードであり、画像取得部１１１と、項目位置情報取得部１１３と、投影部１１５と、指示位置特定情報取得部１１７と、操作情報算出部１２１と、操作情報送信部１２３とを、備える。
【００１９】
画像取得部１１１、項目位置情報取得部１１３、指示位置特定情報取得部１１７、操作情報算出部１２１、及び操作情報送信部１２３は、例えば、ＣＰＵ（Central  Processing  Unit）などの処理装置にプログラムを実行させること、即ち、ソフトウェアにより実現できる。投影部１１５は、例えば、レンズ等の光学系により実現できる。
【００２０】
画像取得部１１１は、ネットワークボード１５０から項目選択画像を取得する。項目選択画像は、選択対象の複数の項目により構成される画像であり、例えば、ＵＩ（User  Interface）画像やメニュー画像などが挙げられる。画像取得部１１１は、ネットワークボード１５０から、例えば図３に示すようなネットワーク設定に関するＵＩ画像を取得する。
【００２１】
項目位置情報取得部１１３は、ネットワークボード１５０から、画像取得部１１１により取得された項目選択画像を構成する項目毎の位置情報を取得する。図４は、図３に示すＵＩ画像の位置情報の一例を示す図である。図４に示す例では、位置情報は、項目選択画像を構成する項目の識別情報と、座標情報と、選択情報とを含む。
【００２２】
図４に示す例では、識別情報は、項目の位置を行列で特定しており、例えば、２−３は、図３に示すＵＩ画像の２行目３列目に存在する項目（ＭＡＣアドレス）を示している。なお、図３に示すＵＩ画像を構成する各項目と識別情報（行列）との関係は、図５に示すとおりである。図５に示す例では、図３に示すＵＩ画像を構成する各項目の位置に識別情報を付して、各項目と識別情報との関係を示している。
【００２３】
座標情報は、図３に示すＵＩ画像の左上を原点とし、各項目の領域（矩形）の左上のｘｙ座標及び右下のｘｙ座標で表されている。選択情報は、図３に示すＵＩ画像を構成する各項目のうち現在選択されている項目を示す情報であり、図４に示す例では、識別情報１−１の項目、即ち、図３に示すＵＩ画像の１行目１列目に存在する項目（有線ＬＡＮ設定）が現在選択されている。
【００２４】
投影部１１５は、画像取得部１１１により取得された項目選択画像をホワイトボードやスクリーンなどの投影媒体に投影する。例えば、投影部１１５は、電子ペン２００による指示位置を特定するためのパターン情報が付加された項目選択画像を投影媒体に投影する。
【００２５】
指示位置特定情報取得部１１７は、電子ペン２００から、投影媒体に投影された項目選択画像上での電子ペン２００による指示位置を特定可能な指示位置特定情報を取得する。指示位置特定情報としては、例えば、投影媒体に投影された項目選択画像上での電子ペン２００による指示位置の座標情報などが挙げられる。
【００２６】
操作情報算出部１２１は、項目位置情報取得部１１３により取得された位置情報に基づいて、指示位置特定情報取得部１１７により取得された指示位置特定情報が示す指示位置に存在する項目を特定し、特定した項目を選択するために必要な第１操作情報を算出する。なお、操作情報算出部１２１は、指示位置特定情報から指示位置を特定可能であり、例えば、ＤＬＰプロジェクタであれば、Ｐｏｉｎｔｂｌａｎｋなどの技術を用いればよい。
【００２７】
具体的には、操作情報算出部１２１は、項目位置情報取得部１１３により取得された位置情報に基づいて、指示位置特定情報取得部１１７により取得された指示位置特定情報が示す指示位置に項目が存在するか否かを判定する。
【００２８】
例えば、操作情報算出部１２１は、指示位置特定情報取得部１１７により取得された指示位置特定情報が示す指示位置の座標を図４に示す位置情報の座標情報と比較する。なお操作情報算出部１２１は、投影部１１５が項目選択画像を変倍して投影しているような場合には、必要に応じて、指示位置の座標や位置情報の座標情報を変換してもよい。操作情報算出部１２１は、指示位置の座標が位置情報の座標情報が示す領域に含まれていれば、指示位置に項目が存在すると判定し、指示位置の座標が位置情報の座標情報が示す領域に含まれていなければ、指示位置に項目が存在しないと判定する。
【００２９】
そして操作情報算出部１２１は、指示位置に項目が存在すると判定した場合、項目位置情報取得部１１３により取得された位置情報に基づいて、指示位置特定情報取得部１１７により取得された指示位置特定情報が示す指示位置に存在する項目を特定し、特定した項目を選択するために必要な第１操作情報を算出する。
【００３０】
例えば、図３及び図４に示す例において、指示位置に存在する項目が識別情報２−３の「ＭＡＣアドレス」であるとする。この場合、１行目１列目に存在する項目（有線ＬＡＮ設定）が選択された状態から２行目３列目に存在する項目（ＭＡＣアドレス）が選択された状態に遷移させる必要がある。このため操作情報算出部１２１は、右キーを１回押下し、下キーを２回押下したという第１操作情報を算出する。
【００３１】
なお投影部１１５は、操作情報算出部１２１により指示位置に項目が存在しないと判定された場合、電子ペン２００による指示位置に選択対象の項目が存在しない旨を示す情報を項目選択画像に合成して投影する。
【００３２】
操作情報送信部１２３は、操作情報算出部１２１により算出された第１操作情報をネットワークボード１５０に送信する。
【００３３】
ネットワークボード１５０は、ネットワーク設定などプロジェクタ１００のネットワーク機能に関する処理を行う処理ボードであり、画像送信部１５１と、項目位置情報送信部１５３と、操作情報取得部１５５と、操作実行部１５７と、画像作成部１５９と、項目位置情報作成部１６１とを、備える。
【００３４】
画像送信部１５１、項目位置情報送信部１５３、操作情報取得部１５５、操作実行部１５７、画像作成部１５９、及び項目位置情報作成部１６１は、例えば、ＣＰＵなどの処理装置にプログラムを実行させること、即ち、ソフトウェアにより実現できる。
【００３５】
画像送信部１５１は、後述の画像作成部１５９により作成された項目選択画像などの画像をメインボード１１０に送信する。
【００３６】
項目位置情報送信部１５３は、後述の項目位置情報作成部１６１により作成された位置情報をメインボード１１０に送信する。なお、項目位置情報作成部１６１により作成された位置情報は、画像作成部１５９により作成された項目選択画像の位置情報である。
【００３７】
操作情報取得部１５５は、メインボード１１０から第１操作情報を取得する。
【００３８】
操作実行部１５７は、操作情報取得部１５５により取得された第１操作情報に基づく操作を実行する。例えば、前述したように、右キーを１回押下し、下キーを２回押下したという第１操作情報であれば、操作実行部１５７は、右キーを１回押下し、下キーを２回押下するという操作を実行し、図３及び図４に示す例において、１行目１列目に存在する項目（有線ＬＡＮ設定）が選択された状態から２行目３列目に存在する項目（ＭＡＣアドレス）が選択された状態に遷移させる。
【００３９】
画像作成部１５９は、操作実行部１５７により実行された操作に基づく項目選択画像などの画像を作成する。例えば画像作成部１５９は、図３に示す例において、２行目３列目に存在する項目（ＭＡＣアドレス）が選択された項目選択画像を作成する。
【００４０】
項目位置情報作成部１６１は、画像作成部１５９により作成された項目選択画像の位置情報を作成する。例えば画像作成部１５９は、図４に示す例において、２行目３列目に存在する項目（ＭＡＣアドレス）が現在選択されていることを示す位置情報を作成する。なお、項目選択画像を構成する項目の識別情報及び座標情報については、図示せぬ記憶部に記憶されているので、画像作成部１５９は、これらを用いて位置情報を作成する。
【００４１】
次に、電子ペン２００について説明する。図２に示すように、電子ペン２００は、生成部２０１と、指示位置特定情報送信部２０３とを、備える。生成部２０１及び指示位置特定情報送信部２０３は、例えば、ＣＰＵなどの処理装置にプログラムを実行させること、即ち、ソフトウェアにより実現できる。
【００４２】
生成部２０１は、投影媒体に投影された項目選択画像上で指示位置を指定する指示位置指定操作に基づいて、指示位置特定情報を生成する。具体的には、生成部２０１は、投影媒体に投影された上で項目選択画像に付加されたパターン情報を読み出し、読み出したパターン情報を指示位置特定情報とする。
【００４３】
なお、項目選択画像にパターン情報が付加されていない場合には、項目選択画像上での指示位置をカメラなどの撮像装置で撮像し、生成部２０１は、撮像された撮像画像を取得して指示位置特定情報を生成するようにしてもよい。
【００４４】
指示位置特定情報送信部２０３は、生成部２０１により生成された指示位置特定情報をプロジェクタ１００に送信する。
【００４５】
図６は、本実施形態の画像投影システム１で実行されるネットワーク機能のＵＩ操作処理の一例を示すシーケンス図である。
【００４６】
まず、ネットワークボード１５０の画像送信部１５１は、画像作成部１５９により作成されたネットワークのＵＩ画像をメインボード１１０に送信し、メインボード１１０の画像取得部１１１は、当該ＵＩ画像を取得する（ステップＳ１０１）。
【００４７】
続いて、項目位置情報送信部１５３は、項目位置情報作成部１６１により作成されたネットワークのＵＩ画像の位置情報をメインボード１１０に送信し、メインボード１１０の項目位置情報取得部１１３は、当該位置情報を取得する（ステップＳ１０３）。
【００４８】
続いて、メインボード１１０の投影部１１５は、画像取得部１１１により取得されたネットワークのＵＩ画像を投影媒体に投影する（ステップＳ１０５）。
【００４９】
続いて、メインボード１１０の指示位置特定情報取得部１１７は、電子ペン２００から、投影媒体に投影されたネットワークのＵＩ画像上での電子ペン２００による指示位置を特定可能な指示位置特定情報を取得する（ステップＳ１０７）。
【００５０】
続いて、メインボード１１０の操作情報算出部１２１は、項目位置情報取得部１１３により取得された位置情報に基づいて、指示位置特定情報取得部１１７により取得された指示位置特定情報が示す指示位置に存在する項目を特定し（ステップＳ１０９）、特定した項目を選択するために必要な第１操作情報を算出する（ステップＳ１１１）。
【００５１】
続いて、メインボード１１０の操作情報送信部１２３は、操作情報算出部１２１により算出された第１操作情報をネットワークボード１５０に送信し、ネットワークボード１５０の操作情報取得部１５５は、当該第１操作情報を取得する（ステップＳ１１３）。
【００５２】
続いて、ネットワークボード１５０の操作実行部１５７は、操作情報取得部１５５により取得された第１操作情報に基づく操作を実行し、画像作成部１５９は、操作実行部１５７により実行された操作後のネットワークのＵＩ画像を作成し、項目位置情報作成部１６１は、操作実行部１５７により実行された操作後のネットワークのＵＩ画像の位置情報を作成する。
【００５３】
続いて、画像送信部１５１は、画像作成部１５９により作成された操作後のネットワークのＵＩ画像をメインボード１１０に送信し、画像取得部１１１は、当該ＵＩ画像を取得する（ステップＳ１１５）。
【００５４】
続いて、項目位置情報送信部１５３は、項目位置情報作成部１６１により作成された操作後のネットワークのＵＩ画像の位置情報をメインボード１１０に送信し、項目位置情報取得部１１３は、当該位置情報を取得する（ステップＳ１１７）。
【００５５】
続いて、投影部１１５は、画像取得部１１１により取得された操作後のネットワークのＵＩ画像を投影媒体に投影する（ステップＳ１１９）。
【００５６】
図７は、本実施形態の画像投影システム１で実行される操作情報算出処理の一例を示すフローチャート図である。
【００５７】
まず、指示位置特定情報取得部１１７は、電子ペン２００から、投影媒体に投影されたネットワークのＵＩ画像上での電子ペン２００による指示位置を特定可能な指示位置特定情報を取得する（ステップＳ２０１）。
【００５８】
続いて、操作情報算出部１２１は、項目位置情報取得部１１３により取得された位置情報に基づいて、指示位置特定情報取得部１１７により取得された指示位置特定情報が示す指示位置に項目が存在するか否かを判定する（ステップＳ２０３）。
【００５９】
指示位置に項目が存在する場合（ステップＳ２０３でＹｅｓ）、操作情報算出部１２１は、項目位置情報取得部１１３により取得された位置情報に基づいて、指示位置特定情報取得部１１７により取得された指示位置特定情報が示す指示位置に存在する項目を特定する（ステップＳ２０５）。
【００６０】
続いて、操作情報算出部１２１は、位置情報の選択情報を参照して、特定した項目が現在選択されている項目と異なるか確認する（ステップＳ２０７）。
【００６１】
異なる場合（ステップＳ２０７でＹｅｓ）、操作情報算出部１２１は、特定した項目を選択するために必要な第１操作情報を算出する（ステップＳ２０９）。なお、異ならない場合（ステップＳ２０７でＮｏ）、ステップＳ２０１へ戻る。
【００６２】
また、ステップＳ２０３で指示位置に項目が存在しない場合（ステップＳ２０３でＮｏ）、投影部１１５は、電子ペン２００による指示位置に選択対象の項目が存在しない旨を示す情報を項目選択画像に合成して投影する（ステップＳ２１１）。そして、ステップＳ２０１へ戻る。
【００６３】
以上のように、本実施形態では、メインボードは、項目選択画像を構成する各項目の位置情報をネットワークボードから取得し、取得した位置情報を用いることで、項目選択画像に対する指示位置からネットワークボードが解釈可能なキー情報などの操作情報を算出してネットワークボードに送信する。従って本実施形態によれば、メイン処理部と１以上のサブ処理部との結合度の弱さを維持しつつ、指示位置に基づく操作をネットワークボード側で実行することができる。
【００６４】
なお、項目選択画像を構成する各項目の位置情報は、ネットワークボードが元々管理しているものであるため、ネットワークボード側は、位置情報を外部に供給するインタフェースを提供するだけで足り、メインボード側の機能（指示位置からネットワークボードが解釈可能なキー情報などの操作情報を算出する機能）変更に伴う影響を最小限に留めることができている。
【００６５】
また本実施形態では、指示位置に項目が存在しない場合、その旨を報知するので、ユーザの操作性を向上させることができる。
【００６６】
（変形例）
なお、本発明は、上記実施形態に限定されるものではなく、種々の変形が可能である。
【００６７】
図８は、変形例の画像投影システム１００１の機能構成の一例を示すブロック図である。図８に示すように、変形例の画像投影システム１００１は、プロジェクタ１１００の操作部１１４０、並びにメインボード１１１０の検知部１１２５、実行判定部１１２７、及び操作情報送信部１１２３が上記実施形態と相違する。なお、上記実施形態と同様の名称・符号を付した構成要素については、上記実施形態と同様の機能を有するため、その説明を省略する。
【００６８】
操作部１１４０は、プロジェクタ１１００に対するキー操作を行うものであり、キースイッチ、タッチパネル、リモコン受信機などが挙げられる。
【００６９】
検知部１１２５は、操作部１１４０からの第２操作情報を検知する。第２操作情報は、前述の通り、キー操作情報である。
【００７０】
実行判定部１１２７は、指示位置特定情報取得部１１７により取得される指示位置特定情報の有無に基づいて、第２操作情報に基づく操作を実行可能か否か判定する。具体的には、実行判定部１１２７は、指示位置特定情報取得部１１７により指示位置特定情報が取得された場合、第２操作情報に基づく操作を実行不可と判定し、指示位置特定情報取得部１１７により指示位置特定情報が取得されなかった場合、前記第２操作情報に基づく操作を実行可能と判定する。
【００７１】
操作情報送信部１１２３は、実行判定部１１２７により第２操作情報に基づく操作を実行不可と判定された場合、第２操作情報をネットワークボード１５０に送信せず、実行判定部１１２７により第２操作情報に基づく操作を実行可能と判定された場合、第２操作情報をネットワークボード１５０に送信する。
【００７２】
図９は、変形例の画像投影システム１００１で実行される操作情報送信処理の一例を示すフローチャート図である。
【００７３】
まず、検知部１１２５は、操作部１１４０からの第２操作情報を検知する（ステップＳ３０１）。
【００７４】
続いて、実行判定部１１２７は、指示位置特定情報取得部１１７により取得される指示位置特定情報の有無に基づいて、第２操作情報に基づく操作を実行可能か否か判定する（ステップＳ３０３）。
【００７５】
第２操作情報に基づく操作を実行可能な場合（ステップＳ３０３でＹｅｓ）、操作情報送信部１１２３は、第２操作情報をネットワークボード１５０に送信する（ステップＳ３０５）。
【００７６】
一方、第２操作情報に基づく操作を実行不可な場合（ステップＳ３０３でＮｏ）、操作情報送信部１１２３は、第２操作情報をネットワークボード１５０に送信しない（ステップＳ３０７）。
【００７７】
以上のように変形例によれば、指示位置に基づく操作が実行されている場合には、操作部からの操作情報を無効化することができるので、ユーザの操作性を向上させることができる。
【００７８】
なお上記実施形態及び変形例では、メインボード側の主機能のＵＩ操作についての説明を省略したが、メインボード側では、指示位置をそのまま解釈してＵＩ操作を実行してもよいし、キー操作情報などの操作情報に変換してＵＩ操作を実行してもよい。
【００７９】
（ハードウェア構成）
図１０は、上記実施形態及び変形例のプロジェクタ１００、１１００のハードウェア構成の一例を示す図である。図１０に示すように、上記実施形態及び変形例のプロジェクタ１００、１１００は、光学部１２０１と、ランプ１２０３と、ランプ制御ユニット１２０５と、操作パネル１２０７と、リモコン受信機１２０９と、電源１２１１と、ファン１２１３と、メインボード１１０、１１１０と、ネットワークボード１５０とを、備える。
【００８０】
メインボード１１０、１１１０は、システム制御ユニット１２１５と、記憶部１２１７と、光学制御ユニット１２１９と、映像信号処理ユニット１２２１と、電源制御ユニット１２２３と、無線ユニット１２２５とを、備える。
【００８１】
ネットワークボード１５０は、ネットワークシステム制御ユニット１２３１と、記憶部１２３３と、ネットワークＩ／Ｆユニット１２２９とを、備える。
【００８２】
光学部１２０１は、映像を作り出す部分であり、例えば、ＤＭＤ（Digital  Mirror  Device）やカラーホイールなどが挙げられる。
【００８３】
ランプ１２０３は、光源となるランプである。
【００８４】
ランプ制御ユニット１２０５は、ランプ１２０３を制御するバラストである。
【００８５】
操作パネル１２０７は、ユーザの操作を受け付ける本体部の操作キーである。
【００８６】
リモコン受信機１２０９は、リモコン１２４０から赤外線等のリモコン信号を受信する。
【００８７】
電源１２１１は、電源を供給する。
【００８８】
ファン１２１３は、本体部を冷却する。
【００８９】
システム制御ユニット１２１５は、ＣＰＵであり、メインボードを制御する。
【００９０】
記憶部１２１７は、ＲＯＭ（Read  Only  Memory）やＲＡＭ（Random  Access  Memory）であり、主機能に関するデータを記憶する。
【００９１】
光学制御ユニット１２１９は、光学部１２０１を制御する。
【００９２】
映像信号処理ユニット１２２１は、映像入力種別（例えば、Ｄ−Ｓｕｂ、ＨＤＭＩ（登録商標）、ビデオ等）の映像信号ポートからの映像信号入力を受信して、処理する。
【００９３】
電源制御ユニット１２２３は、電源を制御する。
【００９４】
無線ユニット１２２５は、電子ペン２００や図示せぬＰＣなどと通信を行う。
【００９５】
ネットワークシステム制御ユニット１２３１は、ＣＰＵであり、ネットワークボードを制御する。
【００９６】
記憶部１２３３は、ＲＯＭやＲＡＭであり、ネットワーク機能に関するデータを記憶する。
【００９７】
ネットワークＩ／Ｆユニット１２２９は、ネットワーク信号を受信して、処理する。
【００９８】
上記実施形態及び変形例のプロジェクタで実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【００９９】
また、上記実施形態及び変形例のプロジェクタで実行されるプログラムを、インターネット等のネットワークに接続されたコンピュータ上に格納し、ネットワーク経由でダウンロードさせることにより提供するようにしてもよい。また、上記実施形態及び変形例のプロジェクタで実行されるプログラムを、インターネット等のネットワーク経由で提供または配布するようにしてもよい。また、上記実施形態及び変形例のプロジェクタで実行されるプログラムを、ＲＯＭ等に予め組み込んで提供するようにしてもよい。
【０１００】
上記実施形態及び変形例のプロジェクタで実行されるプログラムは、上述した各部をコンピュータ上で実現させるためのモジュール構成となっている。実際のハードウェアとしては、ＣＰＵがＲＯＭからプログラムをＲＡＭ上に読み出して実行することにより、上記各部がコンピュータ上で実現されるようになっている。
【符号の説明】
【０１０１】
１、１００１  画像投影システム
１００、１１００  プロジェクタ
１１０、１１１０  メインボード
１１１  画像取得部
１１３  項目位置情報取得部
１１５  投影部
１１７  指示位置特定情報取得部
１２１  操作情報算出部
１２３、１１２３  操作情報送信部
１５０  ネットワークボード
１５１  画像送信部
１５３  項目位置情報送信部
１５５  操作情報取得部
１５７  操作実行部
１５９  画像作成部
１６１  項目位置情報作成部
２００  電子ペン
２０１  生成部
２０３  指示位置特定情報送信部
１１２５  検知部
１１２７  実行判定部
１１４０  操作部
【先行技術文献】
【特許文献】
【０１０２】
【特許文献１】特開２０１２−１７３４４７号公報
【図１】
2015056009.tif 000003
【図２】
2015056009.tif 000004
【図３】
2015056009.tif 000005
【図４】
2015056009.tif 000006
【図５】
2015056009.tif 000007
【図６】
2015056009.tif 000008
【図７】
2015056009.tif 000009
【図８】
2015056009.tif 000010
【図９】
2015056009.tif 000011
【図１０】
2015056009.tif 000012